(57)【要約】      （修正有）【課題】水袋内の飲用水が減った時、受盤が袋詰め水を持ち上げ、水袋内部の飲用水を飲水機内部に集中させ、すべての水資源を無駄なく使用する水袋式飲水機のウォーターサーバーを提供する。【解決手段】飲水機の最上部に設置して、水袋を受ける水袋式飲水機のウォーターサーバーにおいて、底部位置に通孔２１１を設置し、そこに飲水機１の進水管３を差し込む受台フレーム２１と、受台フレーム２１内部に納置し、底部には穿孔２２１を貫設し、且つ通孔２１１の位置と対応させ、飲水機１の進水管３を差し込む受盤２２と、受台フレーム２１と受盤２２の間に連結する少なくとも１つの弾性部品４を含み、その弾性部品４の弾力によって受盤２２が持ち上がることを特徴とする水袋式飲水機のウォーターサーバー。【選択図】図４
0003133671.tif 000002
【実用新案登録請求の範囲】
【請求項１】
飲水機の最上部に設置して、水袋を受ける水袋式飲水機のウォーターサーバーにおいて、
底部位置に通孔を設置し、そこに飲水機の進水管を差し込む受台フレームと、
受台フレーム内部に納置し、底部には穿孔を貫設し、且つ通孔の位置と対応させ、飲水機の進水管を差し込む受盤と、
受台フレームと受盤の間に連結する少なくとも１つの弾性部品を含み、その弾性部品の弾力によって受盤が持ち上がることを特徴とする水袋式飲水機のウォーターサーバー。
【請求項２】
前記弾性部品は、バネとすることを特徴とする請求項１記載の水袋式飲水機のウォーターサーバー。
【請求項３】
前記通孔位置は、受台フレーム底部の中央位置に設置することを特徴とする請求項１記載の水袋式飲水機のウォーターサーバー。
【請求項４】
前記穿孔位置は、受盤底部中央位置に設置することを特徴とする請求項３記載の水袋式飲水機のウォーターサーバー。
【請求項５】
前記受台フレームは、凹槽形状であることを特徴とする請求項１記載の水袋式飲水機のウォーターサーバー。
【請求項６】
前記受台フレームは、底部が漏斗形状であることを特徴とする請求項１記載の水袋式飲水機のウォーターサーバー。
【請求項７】
前記受盤は、底部が漏斗形状であることを特徴とする請求項１記載の水袋式飲水機のウォーターサーバー。
【請求項８】
前記受台フレームは、周辺縁に複数の定位柱を設置することを特徴とする請求項１記載の水袋式飲水機のウォーターサーバー。
【請求項９】
前記弾性部品は、定位柱に設置することを特徴とする請求項８記載の水袋式飲水機のウォーターサーバー。
【請求項１０】
前記受盤は、周辺縁に開口下向きの納置槽を複数設置し、且つ各納置槽位置は各定位柱と相互に対応し、同時に定位柱及び弾性部品を納置することを特徴とする請求項９記載の水袋式飲水機のウォーターサーバー。
【考案の詳細な説明】
【技術分野】
【０００１】
本考案は、一種の飲水機に関するもので、特に水袋を受ける飲水機サーバーである。
【背景技術】
【０００２】
各地が供給する水道水の水質は悪く、供給される水道水を生水のまま飲むことが不確かであるため、必ず水を沸騰させて飲まなければならない。オフィスや学校などではこの種の沸騰設備及び作業を節約するため、大部分はメーカーが提供するボトル水もしくは袋詰め水に、専用且つ加熱装置を具えた飲水機を採用し、飲むのに適した水を人々に提供している。
【０００３】
一般のボトル詰め水の飲水機は、水を詰める容器が固定容器であるため、ボトルを倒す方式で飲水機内に水を注入すると、容器内に入っている飲用水は固体の容器に従って飲用水を飲水機内に送られるため、容器内部の飲用水が残存することがない。この飲水機の設計は一般の飲水機の設計に比べて簡単であり、飲用水を提供するメーカーにとって、そのコストは低い。しかしながら、ボトル詰め水の容器は飲水機によって設計されるため、コストから考えると、回収再利用の価値を具え、輸送コストに於いて、飲用水のコストのほかに空ボトルの回収コストも負担しなければならない。
【０００４】
そのため、輸送コストを考えなければならない地区に於いては、水袋をボトル詰め水の代わりとすることにより、ボトルを回収する輸送コストを節約するだけでなく、更に袋詰め水の水袋材質もまた環境保護の観点から、再製造の価値を具える。メーカーにとって、コストの節約となるだけでなく、環境保護も具え、二重の効果がある。
【特許文献１】特開２００３−２０６０００号公報
【考案の開示】
【考案が解決しようとする課題】
【０００５】
解決しようとする問題点は、飲水機上に設置した進水管が深く水袋内部に入り、水袋内部の飲用水をすばやく飲水機内に入るように、その進水管は、比較的細長型であるが、袋詰め水内の飲用水が徐々に減少すると、水袋内部の水位が徐々に下がり、進水管の位置より低くなると、飲用水が残留しやすく、進水管から飲水機内部へ進めなくなり、水資源を完全に利用できないため、水袋の回收毎に水を無駄にしてしまう点である。そのためこの問題について飲水機を改善することにより、貴重な水を無駄にしないようにすることが必要である。
【課題を解決するための手段】
【０００６】
本考案は、主に受台フレーム及び受盤を含む。そのうち、この受台フレーム底部には通孔を開設し、飲水機最上部の突出した進水管を差し込む。また受台フレーム周辺縁には複数の定位柱を設置し、各定位柱上にはそれぞれ弾性部品を設置する。別にこの受盤は受台フレーム内部に納置し、その底部は漏斗形状で、且つ底部位置には穿孔が貫設され、通孔の位置に対応させて進水管を差し込む。受盤周辺縁には複数の納置槽が設置され、そこに各定位柱及び弾性部品を納置し、弾性部品によって受盤が持ち上がることを最も主要な特徴とする。
すなわち本考案の水袋式飲水機のウォーターサーバーは、底部位置に通孔を設置し、そこに飲水機の進水管を差し込む受台フレームと、受台フレーム内部に納置し、底部には穿孔を貫設し、且つ通孔の位置と対応させ、飲水機の進水管を差し込む受盤と、受台フレームと受盤の間に連結する少なくとも１つの弾性部品を含み、その弾性部品の弾力によって受盤が持ち上がることを特徴とする。
【考案の効果】
【０００７】
本考案の水袋式飲水機のウォーターサーバーは、水袋内の飲用水が減った時、受盤が袋詰め水を持ち上げ、水袋内部の飲用水を飲水機内部に集中させ、すべての水資源を無駄なく使用するという利点がある。
【考案を実施するための最良の形態】
【０００８】
上述の欠点に対して、本考案の主な目的は、持ち上がり作用を具えた水袋式飲水機のウォーターサーバーを提供することにある。水袋を載せたウォーターサーバー内部に複数の弾性部品を設置することにより、水袋を持ち上げる作用を具え、中の飲用水が減った時、水袋内部の飲用水を集中させ、飲水機内部に送り、水袋に詰めた水資源を有効に使用できる。
【０００９】
上述の目的のため、本考案は主に一種水袋式飲水機のウォーターサーバーを提供する。このサーバーの構造は、一受台フレーム及び一受盤を含み、そのうち受台フレーム底部には一通孔を設置し、飲水機最上部に突出した進水管を差し込む。また受台フレーム周辺縁には複数の定位柱を設置し、各定位柱上には各々一弾性部品を設置する。別に受盤は受台フレーム内部に納置し、その底部が凹形状で，且つ底部位置には一穿孔を設置し、且つ通孔の位置に対応させて進水管を差し込む。受盤周辺縁には複数の納置槽を設置し、各定位柱及び弾性部品を穿設し、弾性部品によって受盤を持ち上げる。これにより、受盤が袋詰め水を持ち上げ、水袋内部の飲用水を集中させ、飲水機内部に送り水資源を有効に使用する。
【実施例】
【００１０】
本考案の内容は、図と共に説明を行う。
図１及び図２は、本考案の立体図及び結構分解図である。図１に示すとおり、本考案は、飲水機１を主体とし、このウォーターサーバー２は飲水機１の最上部に設置する。図２の立体分解図に示すとおり、このウォーターサーバー２は、主に受台フレーム２１を含み、受台フレーム２１は凹槽形状である。本実施例において受台フレーム２１の前後、左右側面は円弧形面で、且つその前後側面は内向きに凹み、また左右側面は外に伸びる。またこの受台フレーム２１底部は漏斗形状で、受台フレーム２１底部中央位置上には一通孔２１１が形成され、飲水機１最上部から外に向かって凸起した進水柱３を設置する。進水柱３は飲水機１内部と相互に連通し、その進水柱３の先鋭端周辺縁には複数の進水孔３１を設置する。別に、受台フレーム２１底部には少なくとも一定位柱２１２を設置する。本実施例中では複数の定位柱２１２とし、底部角位置に設置する。且つ定位柱２１２上にはそれぞれ一弾性部品４を設置し、本実施例ではバネとする。
【００１１】
図２に示すとおり、この受台フレーム２１内には更に一受盤２２が設置され、その受盤２２の周辺縁輪廓はちょうど受台フレーム２１内部形状と同じで受盤２２を受台フレーム２１内部に納置する。この受盤２２の底部は漏斗形状で、受盤２２底部中央位置上には一穿孔２２１を貫設し、且つ受台フレーム２１上の通孔２１１及び進水柱３の位置と対応し、更に進水柱３を穿孔２２１内に差し込む。別に受盤２２底部周辺縁に開口が下向きの複数の納置槽２２２を設置し、且つ各納置槽２２２の位置には各定位柱２１２が対応し、同時に各定位柱２１２及び定位柱２１２に設置した弾性部品４を納置する。この組合完成図は第三図に示すとおりである。
【００１２】
図４及び図５に示すのは、本考案の結構側視図及び操作示意図である。受盤２２は受台フレーム２１内に納置した後、弾性部品４の彈性力によってまだ何も載せていない受盤２２を持ち上げ、且つ受盤２２の穿孔２２１内に差し込んだ進水管３先鋭端がちょうど受盤２２の底面外に露出する。図５に示すとおり、飲用水の水袋５をウォーターサーバー２内に載せた後、水袋５の注入口５１を飲水機１が設置した進水管３位置に対応させ、進水管３上の進水孔３１を水袋５内に深く入れ、同時に水袋５の重量がこの受盤２２を下方向に押す。図に示すとおり、この受盤２２は受台フレーム２１底面に貼り合わしたようになり、水袋５内の飲用水が徐々に減ると、その重量が軽くなり、受盤２２周辺縁内部の弾性部品４が受盤２２を上向きに持ち上げ、水袋５内部に残った飲用水を中間に向けて集中させ、該進水管３の進水孔３１が飲水機１内部に進み、使水袋５内部の飲用水を完全に飲水機１内部へ送り水資源をすべて使用して無駄にしない。
【００１３】
上述の実施方式は良好な一実施例に過ぎず、本考案の実施範囲を制限するものではない。本考案は申請範囲及び説明書内容に依る同等の効果もしくは修飾は、本考案の範囲に属する。
【図面の簡単な説明】
【００１４】
【図１】本考案の構造立体図である。
【図２】本考案の構造分解図である。
【図３】本考案の組立完成図である。
【図４】本考案の構造側面図である。
【図５】本考案の操作指示図１である。
【図６】本考案の操作指示図２である。
【符号の説明】
【００１５】
１        飲水機
２        ウォーターサーバー
２１        受台フレーム
２１１        通孔
２１２        定位柱
２２        受盤
２２１        穿孔
２２２        納置槽
３        進水管
３１        進水孔
４        弾性部品
５        水袋
５１      注入口
【図１】
0003133671.tif 000003
【図２】
0003133671.tif 000004
【図３】
0003133671.tif 000005
【図４】
0003133671.tif 000006
【図５】
0003133671.tif 000007
【図６】
0003133671.tif 000008